(57)【要約】  本発明に係る刈払機用草刈刃は、本体プレート（１０）と、本体プレート（１０）に設けられるリール（２）と、リール（２）に巻回される樹脂コード製草刈刃（７）と、樹脂コード製草刈刃（７）を本体プレート（１０）に着脱可能に固定するコードガイド（６）と、本体プレート（１０）から外側に突出するように設けられる金属製草刈刃（８）とを備え、樹脂コード製草刈刃（７）は、金属製草刈刃（８）の最外周径より外側に突出するようにコードガイド（６）に固定されることを特徴とする。
2009037767.tif 000002
【特許請求の範囲】
【請求項１】
本体プレートと、
該本体プレートに設けられるリールと、
該リールに巻回される樹脂コード製草刈刃と、
該樹脂コード製草刈刃を前記本体プレートに着脱可能に固定するコードガイドと、
前記本体プレートから外側に突出するように設けられる金属製草刈刃と、
を備え、前記樹脂コード製草刈刃は、前記金属製草刈刃の最外周径より外側に突出するように前記コードガイドに固定されることを特徴とする刈払機用草刈刃。
【請求項２】
前記コースガイドは前記リールを挟んで対角線上に設けられ、前記リールの側壁面にはフックが設けられ、１本の所定長さの樹脂コード製草刈刃を２つ折にしたものが前記フックに引っ掛けて始点とされ、前記リールに２条巻きにされ、該２本の樹脂コード製草刈刃の終端長は互いに反対方向を向くように前記本体プレートの外側に引き出された状態で固定される請求項１に記載の刈払機用草刈刃。
【請求項３】
前記リールは前記本体プレートに対して回転可能に設けられ、該本体プレートに対する前記リールの回転をロックする機構を備えている請求項１又は２に記載の刈払機用草刈刃。
【請求項４】
前記リールは前記本体プレートと一体に形成されている１又は２に記載の刈払機用草刈刃。
【請求項５】
前記金属製草刈刃は交換可能なように前記本体プレートに設けられている請求項１〜４のいずれか１の請求項に記載の刈払機用草刈刃。
【請求項６】
前記金属製草刈刃は前記本体プレートと一体に設けられている請求項１〜４のいずれか１の請求項に記載の刈払機用草刈刃。
【請求項７】
請求項１〜６のいずれか１の請求項に記載の刈払機用草刈刃を備えていることを特徴とする刈払機。
【発明の詳細な説明】
【技術分野】
【０００１】
本発明は、草木類を刈り取るための刈払機用草刈刃とこれを備えた刈払機に関するものであり、詳細には、樹脂コード製草刈刃と金属製草刈刃が合体した刈払機用草刈刃とこの草刈刃を備えた刈払機に関するものである。
【背景技術】
【０００２】
現状の刈払機用の草刈刃を大別すると、樹脂コード製草刈刃と金属製草刈刃とがあるが、それぞれに特長があり、その得意とする分野が明確に分かれている。すなわち、樹脂コード製草刈刃は、安全性が高く、ほとんどの条件の草刈が可能であり、しかもぎりぎり短く刈れるので刈り跡がきれいである。刈り取った草はチップになってしまうので後片付けの必要もない。特に、金属製草刈刃の苦手とする障害物の際刈りや異物の混じっている草むらや砂利のあるところも安全に草刈りが出来る。しかしながら、硬い草や小枝などは刈り取る事が出来ないといった欠点や、極端に時間がかかり、樹脂製コード草刈刃の消耗も激しいといった最大の弱点がある。【０００３】
金属製草刈刃は、刃の枚数は２〜数１０枚とさまざまであり、材質も鋼だけでなく超鋼チップを先端につけたものがある。草も小枝も良く切れ、刈り取りの能率が高い利点がある反面、障害物に接触した場合には、その自らの刃が破損したり、相手を傷つけたり壊したりし、危険性も高く、犠牲も大きい。チップソー等は、一瞬にして刃こぼれを起こし、研ぎなおしも利かないので使用場所を考慮して使わないと不経済である。【０００４】
よって、この二種類の草刈り刃をうまく合体させれば、短時間にさまざまな条件下での草刈り作業ができるが、今まで適切なものがなかった。【０００５】
本発明はこれらの問題点を解決するためになされたものである。【０００６】
従来の樹脂コード製草刈刃と金属製草刈刃とを合体した草刈刃には、交換用の短い樹脂コードを持ち歩かなければならないもの（例えば、特許文献１又は３参照）や、金属の代わりに樹脂製の草刈り刃を用いたもの（例えば、特許文献２参照）などがある。
【特許文献１】特開平１０２３４２１６号公報（第７頁、図１６）
【特許文献２】特開平１１−２３５１１３号公報（第７頁、図１７）
【特許文献３】特開２０００−３０８４０７号公報（第７頁、図１８）
【発明の開示】
【発明が解決しようとする課題】
【０００７】
特性の全く違う樹脂コード製と金属製二種類の草刈り刃をうまく組み合わせればさまざまな条件下での草刈り作業が能率良くできると思われるが、上記した従来のものは、樹脂コード製の草刈り刃が取り付け部分で切れやすいといった問題や、樹脂製コードの長さ調節が簡単に出来ないといった問題や、自身の金属製草刈刃で樹脂コード製の草刈り刃を切りとってしまうといった問題などがある。【０００８】
また、所定の長さの樹脂コードを交換する方式のものでは、コードを持ち歩くのも交換するのも面倒であり、このタイプは特にごみになる部分が多く、不経済であった。【０００９】
そこで、どのような条件下で草刈り作業をしても、樹脂コードが自然消耗を除いて容易には切断されず、又その長さの調節も簡単に出来る、草刈り能率の良い刃の登場が待ち望まれている。
【課題を解決するための手段】
【００１０】
本発明に係る刈払機用草刈刃は、本体プレートと、該本体プレートに設けられるリールと、該リールに巻回される樹脂コード製草刈刃と、該樹脂コード製草刈刃を前記本体プレートに着脱可能に固定するコードガイドと、前記本体プレートから外側に突出するように設けられる金属製草刈刃と、を備え、前記樹脂コード製草刈刃は、前記金属製草刈刃の最外周径より外側に突出するように前記コードガイドに固定されることを特徴とする。【００１１】
そして、前記コースガイドは前記リールを挟んで対角線上に設けられ、前記リールの側壁面にはフックが設けられ、１本の所定長さの樹脂コード製草刈刃を２つ折にしたものが前記フックに引っ掛けて始点とされ、前記リールに２条巻きにされ、該２本の樹脂コード製草刈刃の終端長は互いに反対方向を向くように前記本体プレートの外側に引き出された状態で固定されてもよい。【００１２】
また、前記リールは前記本体プレートに対して回転可能に設けられ、該本体プレートに対する前記リールの回転をロックする機構を備えていてもよい。【００１３】
さらに、前記リールは前記本体プレートと一体に形成されていてもよい。【００１４】
さらにまた、前記金属製草刈刃は交換可能なように前記本体プレートに設けられていてもよい。【００１５】
さらに、前記金属製草刈刃は前記本体プレートと一体に設けられていてもよい。【００１６】
また、本発明に係る刈払機は、上記したいずれかの特徴を有する刈払機用草刈刃を備えている。
【図面の簡単な説明】
【００１７】
【図１】本発明の実施の形態に係る刈払機用草刈刃を示す斜視図である。
【図２】本発明の実施の形態に係る刈払機用草刈刃を示す正面図である。
【図３】本発明の実施の形態に係る刈払機用草刈刃を示す平面図である。
【図４】図３のＡ−Ａ断面図である。
【図５】本発明の実施の形態に係る刈払機用草刈刃のロックプレートを示す斜視図である。
【図６】本発明の実施の形態に係る刈払機用草刈刃のリールを示す斜視図である。
【図７】図６のＡ部とＢ部の拡大断面図である。
【図８】本発明の実施の形態に係る刈払機用草刈刃の本体プレートを示す斜視図である。
【図９】図８のＣ部の詳細平面図である。
【図１０】図８のＣ部の詳細正面図である。
【図１１】図８のＤ部のボルトナットの拡大斜視図である。
【図１２】本発明の実施の形態に係る刈払機用草刈刃に使用する金属製草刈刃の種類を示す平面図である。
【図１３】本発明の実施の形態に係る刈払機用草刈刃の別の実施例を示す斜視図である。
【図１４】本発明の実施の形態に係る刈払機用草刈刃の別の実施例を示す一部断面を含む正面図である。
【図１５】本発明の実施の形態に係る刈払機用草刈刃の刈払機ヘッドの取り付け位置を示す一部断面を含む正面図である。
【発明を実施するための最良の形態】
【００１８】
以下、図面を参照しつつ、本発明の実施の形態に係る刈払機用草刈刃について説明する。【００１９】
本発明の実施の形態に係る刈払機用草刈刃の基本構造は、図１、図２、図３に示すように、草刈刃取り付け軸である刈払機ヘッド３にネジで固定される本体プレート１０と、リール２に巻かれた繰り出しと巻き取りが可能な樹脂コード製草刈刃７と、その樹脂コードを本体プレート１０に対して着脱可能に固定する１対のコードガイド６と、交換可能な１対の金属製草刈刃８とを備えて構成されている。【００２０】
リール２は本体プレート１０の中央部に外気に露出した状態で取り付けられており、本体プレート１０に対して回転可能である、また、一定の角度ごとにその回転をロックできる機構を備えている。【００２１】
樹脂コード製草刈刃７がリール２に巻きつけられた様態は、図６に示すように、リール２の側壁面に設けたフック１に１本の所定長さの樹脂コード製草刈刃７を２つ折にしたものを引っ掛けて始点とし、リール２に２条巻きにしてある。その２本の樹脂コード製草刈刃７の終端長は、互いに反対方向になるよう放射状にリール２の外に引き出され、その最終端は金属製草刈刃８の最外周径より外側に突出するような長さに設定されており、その途中部分は本体プレート１０上に設けたコードガイド６において着脱可能に固定される。【００２２】
コードガイド６は、本体プレート１０の外周に近い位置で中心に対して対角線上の２点に設けられており、その形状は、図９に良く示されているように、樹脂コード製草刈刃７が挿通する開口部を有し、樹脂コード製草刈刃７が接する部分は円弧形状であり、そのコードガイド６の開口部の向く方向はリール２から伸びた樹脂コード製草刈刃７が開口部に挿通されたときに直線的でなく９０度未満の角度で曲げられ外側に伸びるよう設定してある。【００２３】
金属製草刈刃８は、コードガイド６と９０度の角度差で本体プレート１０の周縁部に２枚設置されており、その切れ刃部分を本体プレート１０より外側に突出させた状態でネジ止めされているが、その刃の取り付け方は表、裏、上、下と４様態をもって、又は上、下の２態様をもって本体プレート１０に交換可能に取り付けできるよう穴加工されている。また、金属製草刈刃８は使用目的に応じて選べる二種類がある。【００２４】
金属製草刈刃８の枚数は２枚で少ないように感じるが、実際は何の支障もない。本体プレート１０の形は図では四角く描いてあるが丸形でも、もっと肉をそぎ落とした形でも良い。【００２５】
（イ）第一実施例は、図１より図４に代表される形であり、刈払機に取り付ける面はロックプレート４となっているが、実際は図１５のような取り付け方もある。また、図示では皿ビス１１でロックプレート４を本体プレートに固定しているが、カシメやスポット溶接も可能である。リール２の材質を硬質樹脂とすればバネ材で作るロックレバー５やリール壁面に設ける金属性フック１は、図７に示すように埋め込みとし、リール２を金属製とするならスポット溶接などで製作する。【００２６】
フック１を始点として図１のように巻きつけられたコード７の終端をコードガイド６に通すが、図９のようにθ角をもって外側に伸ばすのがよい。その理由は、単にコードの通し易さのみならず、弾力性を持った樹脂コードがまっすぐに戻ろうとしてリールからの巻き戻りをするのを防ぐためである。【００２７】
リールには樹脂コードの焼きつきを防止するため、加熱にならぬようにカバーなどは付けない。図１０に示すようにコードガイド６は本体プレート１０にカシメ又は溶接により結合される。【００２８】
また、図９において、コード７の接する箇所は円柱体の側面で接する形とし、コードが強く当たる側のＲは大きくとり、弱い当たりのｒ側は小さくてよい。【００２９】
図５、図６に示すように、樹脂コ−ドの突出長は、２箇所のロックレバー５を押し下げてロックプレート４の溝よりはずし、リール２を左右に回転させることにより、自由に長さの設定が出来る。ロックレバー５はバネの復元力を持って自動的にロック状態と成る。【００３０】
図８、図１１に示すように、ボルトナット９は本体プレート１０に金属製草刈刃８を取り付けるためのものであるが、そのボルトは鋲形の頭で４角形の座を持ち本体プレート１０の角穴１３とはめあいになり、工具１本でネジ締めができる。また、ナットはゆるみ止めナットを使用する。【００３１】
（ロ）第二実施例は、リール２は回転しないタイプで、図１３において金属製草刈刃８の部分が図１のように交換可能になったものである。【００３２】
（ハ）第三実施例は、図１において金属製草刈刃８の部分が図１３のように固定式になったものである。【００３３】
（ニ）第四実施例は、最も安価に生産できる簡易型であり、図１３、図１４に示すように、リール２は回転せず、金属製草刈刃８の交換もできないタイプである。樹脂コード製草刈刃７が消耗してきたらコードガイド６より一旦引き抜き、コードを引き伸ばす方向のコードガイド６に差し替える必要がある。【００３４】
また、実際上はコードガイド６を４箇所設ける必要があり、コードが刃の所のコードガイド６の位置にあるときにラフな草刈り作業をした場合は、自身の金属製草刈刃で切られる可能性があるが、これでさえ現状の作業時間をはるかに短縮できる。リール２が固定の場合はフック代用穴１４に樹脂製コードを内側より差込み巻きはじめとする事も出来る。【００３５】
（ホ）第五実施例は、図１５に示すように、刈払機ヘッド３がリール２内にもぐりこんだ形である。図１５は第四実施例の場合を描写しているが、以上の全形式に採用でき、全体はよりコンパクトな設計となり安全性も高いが、ヘッドが大きい刈払機によっては取り付けできない。【００３６】
（へ）図１２に刈払機用草刈刃において使用する替刃の種類を示している。Ｅタイプは研ぎなおしできるタイプであり、刃部は４面に付く。Ｆタイプはチップソーであり、切れ味は良いが研ぎなおしはきかない。Ｇ，Ｈは、Ｅ，Ｆの金属製草刈刃で取り付け穴の異なるタイプである。【００３７】
現状の草刈り作業は硬い草柔らかい草が混在している場合が多いが、環境の変わるたびに刃物を付け替えるか、又はもう一台の刈払機を用意しておく。別の草刈り刃をつけておくというのもなかなかおっくうな作業であるので、実際には、状況判断でどちらか一方の草刈り刃を我慢して使い通している。【００３８】
一般には、とりあえず金属製の草刈り刃であるならば大抵の草を刈ることができるので、障害物がありそうな草むらやフェンス脇の草を刈るときは壊れても惜しくないような金属製草刈刃を取り付け、刈払機の回転を落として使うというのが普通である。
本発明の刈払機用草刈刃を使用するに当たり、金属製草刈刃より１０センチメートル程度、樹脂コード製草刈り刃７を突出させて使用する場合は、樹脂コード製草刈り刃７の性格が強く出て草刈り作業が出来るが、これで切れないような硬い草が現れた時は、刈払機をただ強く薙ぎ払えば、内側の金属製草刈刃が露出しすなわち硬い草はこちらの刃で刈りとることができ作業の中断がない。【００３９】
硬い草が多く生えている草刈り現場では、樹脂コード製草刈り刃の突出長を多少控えめに設定することにより、金属製草刈刃の性格が強く出て、効率よく刈ることができ、且つ樹脂コード製草刈刃の性格をも残しているので、フェンスの際刈りなどに便利である。【００４０】
柔らかい草が多く生えている現場では思い切ってコードを長めに設定すると、刃の直径が大きくなり、金属製草刈刃よりはるかに効率よく草を刈り取ることができる。【００４１】
すなわち、コードの突出長さを自由に設定できるために、細かく草刈刃の性格付けが出来るので、危険性はより少なく効率よく作業を進める事ができる。【００４２】
例としてエンジンを停止することなく刈れる場所を挙げれば、ブロック塀の周り、庭石の周りや砂利道に生えた草、垣根の刈り込み、立ち木や果樹の周りに生えた草、何が中に捨てられているか外から分からない藪、畑の草、田んぼのあぜ道、芝生の刈り込みまでなどであり、消耗した樹脂コード製草刈刃をワンタッチで引き伸ばすのみでエンジンを停止したり刃物を取り換えたりすることなくほぼ連続した作業ができる。そして、草刈り後は刈り取った草は粉々のチップになっているので片付けの必要もなくきれいである。【００４３】
特殊な使い方としては樹脂コードを伸ばしぎみにして、エンジン回転はゆっくりで果樹の立木の古い皮むきとか害虫の卵つぶし、ごみを吹き飛ばすなどの使い方もできる。樹脂コードはエンジンの回転を上げれば鋭い刃物になるし、回転を下げて使えばほうきにもなる。結果としてこの二種合体草刈刃は次の特徴を有している。【００４４】
（１）金属製草刈刃の持ちが良い。金属製草刈刃が切れなくなる主な理由は、長時間使用したからよりは、石など何か堅いものに打ち当てて刃こぼれをさせた場合が多いのが現状である。草に隠れて何か異物が在りそうな現場は、まず樹脂コード製草刈刃で先行刈りをして陰になった部分を露出させ確認する事が出来るので、いきなり隠れている硬いものに金属製草刈刃を衝突させたりガラス瓶を割ったりするなどの確立が低く、安全性が高く、又金属製草刈刃の切れ味も長持ちする。しかも金属製草刈刃は必要最小限の部分で交換可能なので、ランニングコストが安く、又使用目的に応じたタイプのものに交換する事もできる。更に上下、裏表を逆にすることで刃先の研ぎ直しなしで２倍または４倍にも使うことが出来るので、グラインダーなどが近くになくて研ぎなおしができない場所では便利である。【００４５】
（２）樹脂コード製草刈刃がなかなか減らない。硬い草や茎、小枝などを無理に刈るからコードが極端に早く消耗するわけであり、そのときは刃の回転数や樹脂コードの突出長を適宜調節して金属製草刈刃で刈れば樹脂製コード草刈刃をいたずらに打ち当てて消耗させることもないので、樹脂コード製草刈刃のみで草刈りをした場合と比べるとはるかにその寿命は長い。つまり、お互いの刃がお互いの弱点をうまいぐあいにカバーしあう構造である。【００４６】
（３）その他の利点をあげてみると、作業が早い、安全性が高い、維持コストが安い、相手を壊さない、不要なごみを出さない、刈り跡がきれい、草刈り以外の仕事も出来るなどである。
【図１】
2009037767.tif 000003
【図２】
2009037767.tif 000004
【図３】
2009037767.tif 000005
【図４】
2009037767.tif 000006
【図５】
2009037767.tif 000007
【図６】
2009037767.tif 000008
【図７】
2009037767.tif 000009
【図８】
2009037767.tif 000010
【図９】
2009037767.tif 000011
【図１０】
2009037767.tif 000012
【図１１】
2009037767.tif 000013
【図１２】
2009037767.tif 000014
【図１３】
2009037767.tif 000015
【図１４】
2009037767.tif 000016
【図１５】
2009037767.tif 000017
【手続補正書】
【提出日】平成20年9月12日(2008.9.12)
【手続補正１】
【補正対象書類名】特許請求の範囲
【補正対象項目名】全文
【補正方法】変更
【補正の内容】
【特許請求の範囲】
【請求項１】
本体プレートと、
該本体プレートに設けられるリールと、
該リールに巻回される樹脂コード製草刈刃と、
該樹脂コード製草刈刃を前記本体プレートに着脱自在に固定するコードガイドと、
前記本体プレートから外側に突出するように設けられる金属製草刈刃と、
を備え、
前記金属製草刈刃は前記リールを挟んで本体プレートの対角線上に一対設けられ、
前記コードガイドは前記金属製草刈刃と９０度の角度差で本体プレートの外周に近い位置に設けられ、
前記樹脂コード製草刈刃は、前記金属製草刈刃の最外周より外側に突出するように前記コードガイドに固定されることを特徴とする刈払機用草刈刃。
【請求項２】
前記コードガイドは前記リールを挟んで対角線上に設けられ、前記リールの側壁面にはフックが設けられ、１本の所定長さの樹脂コード製草刈刃を２つ折にしたものが前記フックに引っ掛けて始点とされ、前記リールに２条巻きにされ、該２本の樹脂コード製草刈刃の終端長は互いに反対方向を向くように前記本体プレートの外側に引き出された状態で固定される請求項１に記載の刈払機用草刈刃。
【請求項３】
前記リールは前記本体プレートに対して回転可能に設けられ、該本体プレートに対する前記リールの回転をロックする機構を備えている請求項１又は２に記載の刈払機用草刈刃。
【請求項４】
前記リールは前記本体プレートと一体に形成されている請求項１又は２に記載の刈払機用草刈刃。
【請求項５】
前記金属製草刈刃は交換可能なように前記本体プレートに設けられている請求項１〜４のいずれか１の請求項に記載の刈払機用草刈刃。
【請求項６】
前記金属製草刈刃は前記本体プレートと一体に設けられている請求項１〜４のいずれか１の請求項に記載の刈払機用草刈刃。
【請求項７】
請求項１〜６のいずれか１の請求項に記載の刈払機用草刈刃を備えていることを特徴とする刈払機。
【手続補正書】
【提出日】平成21年4月27日(2009.4.27)
【手続補正１】
【補正対象書類名】明細書
【補正対象項目名】全文
【補正方法】変更
【補正の内容】
【発明の詳細な説明】
【技術分野】
【０００１】
本発明は、草木類を刈り取るための刈払機用草刈刃とこれを備えた刈払機に関するものであり、詳細には、樹脂コード製草刈刃と金属製草刈刃が合体した刈払機用草刈刃とこの草刈刃を備えた刈払機に関するものである。
【背景技術】
【０００２】
現状の刈払機用の草刈刃を大別すると、樹脂コード製草刈刃と金属製草刈刃とがあるが、それぞれに特長があり、その得意とする分野が明確に分かれている。すなわち、樹脂コード製草刈刃は、安全性が高く、ほとんどの条件の草刈が可能であり、しかもぎりぎり短く刈れるので刈り跡がきれいである。刈り取った草はチップになってしまうので後片付けの必要もない。特に、金属製草刈刃の苦手とする障害物の際刈りや異物の混じっている草むらや砂利のあるところも安全に草刈りが出来る。しかしながら、硬い草や小枝などは刈り取る事が出来ないといった欠点や、極端に時間がかかり、樹脂コード製草刈刃の消耗も激しいといった最大の弱点がある。
【０００３】
金属製草刈刃は、刃の枚数は２〜数１０枚とさまざまであり、材質も鋼だけでなく超鋼チップを先端につけたものがある。草も小枝も良く切れ、刈り取りの能率が高い利点がある反面、障害物に接触した場合には、その自らの刃が破損したり、相手を傷つけたり壊したりし、危険性も高く、犠牲も大きい。チップソー等は、一瞬にして刃こぼれを起こし、研ぎなおしも利かないので使用場所を考慮して使わないと不経済である。
【０００４】
よって、この二種類の草刈り刃をうまく合体させれば、短時間にさまざまな条件下での草刈り作業ができるが、今まで適切なものがなかった。
【０００５】
本発明はこれらの問題点を解決するためになされたものである。
【０００６】
従来の樹脂コード製草刈刃と金属製草刈刃とを合体した草刈刃には、交換用の短い樹脂コードを持ち歩かなければならないもの（例えば、特許文献１又は３参照）や、金属の代わりに樹脂製の草刈り刃を用いたもの（例えば、特許文献２参照）などがある。
【特許文献１】特開平１０２３４２１６号公報（第７頁、図１６）
【特許文献２】特開平１１−２３５１１３号公報（第７頁、図１７）
【特許文献３】特開２０００−３０８４０７号公報（第７頁、図１８）
【発明の開示】
【発明が解決しようとする課題】
【０００７】
特性の全く違う樹脂コード製と金属製二種類の草刈り刃をうまく組み合わせればさまざまな条件下での草刈り作業が能率良くできると思われるが、上記した従来のものは、樹脂コード製の草刈り刃が取り付け部分で切れやすいといった問題や、樹脂製コードの長さ調節が簡単に出来ないといった問題や、自身の金属製草刈刃で樹脂コード製の草刈り刃を切りとってしまうといった問題などがある。
【０００８】
また、所定の長さの樹脂コードを交換する方式のものでは、コードを持ち歩くのも交換するのも面倒であり、このタイプは特にごみになる部分が多く、不経済であった。
【０００９】
そこで、どのような条件下で草刈り作業をしても、樹脂コードが自然消耗を除いて容易には切断されず、又その長さの調節も簡単に出来る、草刈り能率の良い刃の登場が待ち望まれている。
【課題を解決するための手段】
【００１０】
本発明に係る刈払機用草刈刃は、本体プレートと、該本体プレートに設けられるリールと、該リールに巻回される樹脂コード製草刈刃と、該樹脂コード製草刈刃を前記本体プレートに着脱可能に固定するコードガイドと、前記本体プレートから外側に突出するように設けられる金属製草刈刃と、を備え、前記樹脂コード製草刈刃は、前記金属製草刈刃の最外周径より外側に突出するように前記コードガイドに固定されることを特徴とする。
【００１１】
そして、前記コードガイドは前記リールを挟んで対角線上に設けられ、前記リールの側壁面にはフックが設けられ、１本の所定長さの樹脂コード製草刈刃を２つ折にしたものが前記フックに引っ掛けて始点とされ、前記リールに２条巻きにされ、該２本の樹脂コード製草刈刃の終端長は互いに反対方向を向くように前記本体プレートの外側に引き出された状態で固定されてもよい。
【００１２】
また、前記リールは前記本体プレートに対して回転可能に設けられ、該本体プレートに対する前記リールの回転をロックする機構を備えていてもよい。
【００１３】
さらに、前記リールは前記本体プレートと一体に形成されていてもよい。
【００１４】
さらにまた、前記金属製草刈刃は交換可能なように前記本体プレートに設けられていてもよい。
【００１５】
さらに、前記金属製草刈刃は前記本体プレートと一体に設けられていてもよい。
【００１６】
また、本発明に係る刈払機は、上記したいずれかの特徴を有する刈払機用草刈刃を備えている。
【図面の簡単な説明】
【００１７】
【図１】本発明の実施の形態に係る刈払機用草刈刃を示す斜視図である。
【図２】本発明の実施の形態に係る刈払機用草刈刃を示す正面図である。
【図３】本発明の実施の形態に係る刈払機用草刈刃を示す平面図である。
【図４】図３のＡ−Ａ断面図である。
【図５】本発明の実施の形態に係る刈払機用草刈刃のロックプレートを示す斜視図である。
【図６】本発明の実施の形態に係る刈払機用草刈刃のリールを示す斜視図である。
【図７】図６のＡ部とＢ部の拡大断面図である。
【図８】本発明の実施の形態に係る刈払機用草刈刃の本体プレートを示す斜視図である。
【図９】図８のＣ部の詳細平面図である。
【図１０】図８のＣ部の詳細正面図である。
【図１１】図８のＤ部のボルトナットの拡大斜視図である。
【図１２】本発明の実施の形態に係る刈払機用草刈刃に使用する金属製草刈刃の種類を示す平面図である。
【図１３】本発明の実施の形態に係る刈払機用草刈刃の別の実施例を示す斜視図である。
【図１４】本発明の実施の形態に係る刈払機用草刈刃の別の実施例を示す一部断面を含む正面図である。
【図１５】本発明の実施の形態に係る刈払機用草刈刃の刈払機ヘッドの取り付け位置を示す一部断面を含む正面図である。
【発明を実施するための最良の形態】
【００１８】
以下、図面を参照しつつ、本発明の実施の形態に係る刈払機用草刈刃について説明する。
【００１９】
本発明の実施の形態に係る刈払機用草刈刃の基本構造は、図１、図２、図３に示すように、草刈刃取り付け軸である刈払機ヘッド３にネジで固定される本体プレート１０と、リール２に巻かれた繰り出しと巻き取りが可能な樹脂コード製草刈刃７と、その樹脂コードを本体プレート１０に対して着脱可能に固定する１対のコードガイド６と、交換可能な１対の金属製草刈刃８とを備えて構成されている。
【００２０】
リール２は本体プレート１０の中央部に外気に露出した状態で取り付けられており、本体プレート１０に対して回転可能である、また、一定の角度ごとにその回転をロックできる機構を備えている。
【００２１】
樹脂コード製草刈刃７がリール２に巻きつけられた様態は、図６に示すように、リール２の側壁面に設けたフック１に１本の所定長さの樹脂コード製草刈刃７を２つ折にしたものを引っ掛けて始点とし、リール２に２条巻きにしてある。その２本の樹脂コード製草刈刃７の終端長は、互いに反対方向になるよう放射状にリール２の外に引き出され、その最終端は金属製草刈刃８の最外周径より外側に突出するような長さに設定されており、その途中部分は本体プレート１０上に設けたコードガイド６において着脱可能に固定される。
【００２２】
コードガイド６は、本体プレート１０の外周に近い位置で中心に対して対角線上の２点に設けられており、その形状は、図９に良く示されているように、樹脂コード製草刈刃７が挿通する開口部を有し、樹脂コード製草刈刃７が接する部分は円弧形状であり、そのコードガイド６の開口部の向く方向はリール２から伸びた樹脂コード製草刈刃７が開口部に挿通されたときに直線的でなく９０度未満の角度で曲げられ外側に伸びるよう設定してある。
【００２３】
金属製草刈刃８は、コードガイド６と９０度の角度差で本体プレート１０の周縁部に２枚設置されており、その切れ刃部分を本体プレート１０より外側に突出させた状態でネジ止めされているが、その刃の取り付け方は表、裏、上、下と４様態をもって、又は上、下の２態様をもって本体プレート１０に交換可能に取り付けできるよう穴加工されている。また、金属製草刈刃８は使用目的に応じて選べる二種類がある。
【００２４】
金属製草刈刃８の枚数は２枚で少ないように感じるが、実際は何の支障もない。本体プレート１０の形は図では四角く描いてあるが丸形でも、もっと肉をそぎ落とした形でも良い。
【００２５】
（イ）第一実施例は、図１より図４に代表される形であり、刈払機に取り付ける面はロックプレート４となっているが、実際は図１５のような取り付け方もある。また、図示では皿ビス１１でロックプレート４を本体プレートに固定しているが、カシメやスポット溶接も可能である。リール２の材質を硬質樹脂とすればバネ材で作るロックレバー５やリール壁面に設ける金属性フック１は、図７に示すように埋め込みとし、リール２を金属製とするならスポット溶接などで製作する。
【００２６】
フック１を始点として図１のように巻きつけられたコード７の終端をコードガイド６に通すが、図９のようにθ角をもって外側に伸ばすのがよい。その理由は、単にコードの通し易さのみならず、弾力性を持った樹脂コードがまっすぐに戻ろうとしてリールからの巻き戻りをするのを防ぐためである。
【００２７】
リールには樹脂コードの焼きつきを防止するため、高温にならぬようにカバーなどは付けない。図１０に示すようにコードガイド６は本体プレート１０にカシメ又は溶接により結合される。
【００２８】
また、図９において、コード７の接する箇所は円柱体の側面で接する形とし、コードが強く当たる側のＲは大きくとり、弱く当たる側のｒは小さくてよい。
【００２９】
図５、図６に示すように、樹脂コ−ドの突出長は、２箇所のロックレバー５を押し下げてロックプレート４の溝よりはずし、リール２を左右に回転させることにより、自由に長さの設定が出来る。ロックレバー５はバネの復元力を持って自動的にロック状態と成る。
【００３０】
図８、図１１に示すように、ボルトナット９は本体プレート１０に金属製草刈刃８を取り付けるためのものであるが、そのボルトは鋲形の頭で４角形の座を持ち本体プレート１０の角穴１３とはめあいになり、工具１本でネジ締めができる。また、ナットはゆるみ止めナットを使用する。
【００３１】
（ロ）第二実施例は、リール２は回転しないタイプで、図１３において金属製草刈刃８の部分が図１のように交換可能になったものである。
【００３２】
（ハ）第三実施例は、図１において金属製草刈刃８の部分が図１３のように固定式になったものである。
【００３３】
（ニ）第四実施例は、最も安価に生産できる簡易型であり、図１３、図１４に示すように、リール２は回転せず、金属製草刈刃８の交換もできないタイプである。樹脂コード製草刈刃７が消耗してきたらコードガイド６より一旦引き抜き、コードを引き伸ばす方向のコードガイド６に差し替える必要がある。
【００３４】
また、実際上はコードガイド６を４箇所設ける必要があり、コードが刃の所のコードガイド６の位置にあるときにラフな草刈り作業をした場合は、自身の金属製草刈刃で切られる可能性があるが、これでさえ現状の作業時間をはるかに短縮できる。リール２が固定の場合はフック代用穴１４に樹脂製コードを内側より差込み巻きはじめとする事も出来る。
【００３５】
（ホ）第五実施例は、図１５に示すように、刈払機ヘッド３がリール２内にもぐりこんだ形である。図１５は第四実施例の場合を描写しているが、以上の全形式に採用でき、全体はよりコンパクトな設計となり安全性も高いが、ヘッドが大きい刈払機によっては取り付けできない。
【００３６】
（へ）図１２に刈払機用草刈刃において使用する替刃の種類を示している。Ｅタイプは研ぎなおしできるタイプであり、刃部は４面に付く。Ｆタイプはチップソーであり、切れ味は良いが研ぎなおしはきかない。Ｇ，Ｈは、Ｅ，Ｆの金属製草刈刃で取り付け穴の異なるタイプである。
【００３７】
現状の草刈り作業は硬い草柔らかい草が混在している場合が多いが、環境の変わるたびに刃物を付け替えるか、又はもう一台の刈払機を用意しておく。別の草刈り刃をつけておくというのもなかなかおっくうな作業であるので、実際には、状況判断でどちらか一方の草刈り刃を我慢して使い通している。
【００３８】
一般には、とりあえず金属製の草刈り刃であるならば大抵の草を刈ることができるので、障害物がありそうな草むらやフェンス脇の草を刈るときは壊れても惜しくないような金属製草刈刃を取り付け、刈払機の回転を落として使うというのが普通である。
本発明の刈払機用草刈刃を使用するに当たり、金属製草刈刃より１０センチメートル程度、樹脂コード製草刈り刃７を突出させて使用する場合は、樹脂コード製草刈り刃７の性格が強く出て草刈り作業が出来るが、これで切れないような硬い草が現れた時は、刈払機をただ強く薙ぎ払えば、内側の金属製草刈刃が露出しすなわち硬い草はこちらの刃で刈りとることができ作業の中断がない。
【００３９】
硬い草が多く生えている草刈り現場では、樹脂コード製草刈り刃の突出長を多少控えめに設定することにより、金属製草刈刃の性格が強く出て、効率よく刈ることができ、且つ樹脂コード製草刈刃の性格をも残しているので、フェンスの際刈りなどに便利である。
【００４０】
柔らかい草が多く生えている現場では思い切ってコードを長めに設定すると、刃の直径が大きくなり、金属製草刈刃よりはるかに効率よく草を刈り取ることができる。
【００４１】
すなわち、コードの突出長さを自由に設定できるために、細かく草刈刃の性格付けが出来るので、危険性はより少なく効率よく作業を進める事ができる。
【００４２】
例としてエンジンを停止することなく刈れる場所を挙げれば、ブロック塀の周り、庭石の周りや砂利道に生えた草、垣根の刈り込み、立ち木や果樹の周りに生えた草、何が中に捨てられているか外から分からない藪、畑の草、田んぼのあぜ道、芝生の刈り込みまでなどであり、消耗した樹脂コード製草刈刃をワンタッチで引き伸ばすのみでエンジンを停止したり刃物を取り換えたりすることなくほぼ連続した作業ができる。そして、草刈り後は刈り取った草は粉々のチップになっているので片付けの必要もなくきれいである。
【００４３】
特殊な使い方としては樹脂コードを伸ばしぎみにして、エンジン回転はゆっくりで果樹の立木の古い皮むきとか害虫の卵つぶし、ごみを吹き飛ばすなどの使い方もできる。樹脂コードはエンジンの回転を上げれば鋭い刃物になるし、回転を下げて使えばほうきにもなる。結果としてこの刈払機用草刈刃は次の特徴を有している。
【００４４】
（１）金属製草刈刃の持ちが良い。金属製草刈刃が切れなくなる主な理由は、長時間使用したからよりは、石など何か堅いものに打ち当てて刃こぼれをさせた場合が多いのが現状である。草に隠れて何か異物が在りそうな現場は、まず樹脂コード製草刈刃で先行刈りをして陰になった部分を露出させ確認する事が出来るので、いきなり隠れている硬いものに金属製草刈刃を衝突させたりガラス瓶を割ったりするなどの確立が低く、安全性が高く、又金属製草刈刃の切れ味も長持ちする。しかも金属製草刈刃は必要最小限の部分で交換可能なので、ランニングコストが安く、又使用目的に応じたタイプのものに交換する事もできる。更に上下、裏表を逆にすることで刃先の研ぎ直しなしで２倍または４倍にも使うことが出来るので、グラインダーなどが近くになくて研ぎなおしができない場所では便利である。
【００４５】
（２）樹脂コード製草刈刃がなかなか減らない。硬い草や茎、小枝などを無理に刈るからコードが極端に早く消耗するわけであり、そのときは刃の回転数や樹脂コードの突出長を適宜調節して金属製草刈刃で刈れば樹脂コード製草刈刃をいたずらに打ち当てて消耗させることもないので、樹脂コード製草刈刃のみで草刈りをした場合と比べるとはるかにその寿命は長い。つまり、お互いの刃がお互いの弱点をうまいぐあいにカバーしあう構造である。
【００４６】
（３）その他の利点をあげてみると、作業が早い、安全性が高い、維持コストが安い、相手を壊さない、不要なごみを出さない、刈り跡がきれい、草刈り以外の仕事も出来るなどである。
【符号の説明】
【００４７】
１…フック、２…リール、３…刈払機ヘッド、４…ロックプレート、５…ロックレバー、６…コードガイド、７…樹脂コード製草刈刃、８…金属製草刈刃、９…ボルトナット、１０…本体プレート、１１…皿ビス、１２…草刈刃取り付けナット、１３…角穴、１４…フック代用穴。
【国際調査報告】
2009037767.tif 000018
2009037767.tif 000019
2009037767.tif 000020
2009037767.tif 000021